(57)【要約】【課題】本発明は携帯用筆袋を開示した。【解決手段】メイン殻を含み、前記メイン殻の頂部端面にはかぶせ板がヒンジによって係合し取り付けられ、これにより口閉め板が口閉めスライド溝の中に挿され、封口バックルと封口バックル殼とが嵌合して筆袋の口を閉め、外しボタンを押し、外しボタンが封口バックルを押し、封口バックルと前記封口バックル殼とが離れ、口閉め板を口閉めスライド溝の中から取ることができ、筆袋が開けられ、本発明は筆袋の中に別々の部分を設置し、各部分の中に各種類の筆あるいは文房具を入れ、きれいに並ばさせ、筆袋の中の各部分が開けられた後、筆袋の各部分の空間が拡大され、取ることが便利であり、同時に内部反転の設計は使用者の臨時的のニーズを満たする。【選択図】図１
2020163095.tif 000002
【特許請求の範囲】
【請求項１】
メイン殻を含み、前記メイン殻の頂部端面にはかぶせ板がヒンジによって係合し取り付けられ、前記かぶせ板と前記メイン殻の外側端面にはかぶせ布が固定的に取り付けられ、前記メイン殻の右側端面には筆袋を閉めるかぶせ閉め機構が設けられ、前記かぶせ閉め機構は前記かぶせ布の末端に固定的に取り付けられる口閉め板と封口バックル殼を含み、前記口閉め板には封口バックル溝が設けられ、前記封口バックル溝の前後内壁には筆袋の口を閉める封口バックルがヒンジによって係合し取り付けられ、前記封口バックル殼には筆袋の口を開けることができる外しボタンが設けられ、前記メイン殻の内部には内部チャンバが設けられ、前記内部チャンバの中には内部仕分け収納機構が設けられ、前記内部仕分け収納機構は前記かぶせ板の底部端面の上に固定的に取り付けられた筆引掛り溝と前記内部チャンバの前後内壁にヒンジによって係合し取り付けられた反転板を含み、前記反転板の上側端面には筆挿し袋が設けられ、前記反転板の下側端面にはメッシュ袋が設けられ、前記内部仕分け収納機構は内部チャンバを二つの空間に分割する連結ロッドと分割布も含み、前記内部チャンバの底壁の中には外側仕分け収納機構が設けられ、前記外側仕分け収納機構は前記メイン殻とスライドできるように取り付けられた仕分け収納箱と仕分け収納箱をメイン殻から滑り出させることをコントロールできるコントロール押しロッドを含むことを特徴とする携帯用筆袋。
【請求項２】
前記かぶせ閉め機構は前記封口バックル殼の中に設けられた口閉めスライド溝も含み、前記封口バックル殼が前記メイン殻の右側端面に固定的に取り付けられ、前記かぶせ板には手提げベルトが固定的に取り付けられ、前記口閉め板の右側端面には前記封口バックル溝が設けられ、前記封口バックルと前記封口バックル溝の左端内壁との間には封口バックルバネが固定的に取り付けられ、前記封口バックル殼にはバックル外し溝が設けられ、前記封口バックルは前記バックル外し溝と固定することができ、これにより口閉め板が口閉めスライド溝の中に挿され、封口バックルと封口バックル殼とが嵌合して筆袋の口を閉め、外しボタンを押し、外しボタンが封口バックルを押し、封口バックルと前記封口バックル殼とが離れ、口閉め板を口閉めスライド溝の中から取ることができ、筆袋が開けられることを特徴とする請求項１に記載の携帯用筆袋。
【請求項３】
前記内部仕分け収納機構は前後対称的に前記内部チャンバの左右内壁の間に固定的に取り付けられたスライドロッドも含み、前記スライドロッドにはスライドブロックがスライドできるように係合し取り付けられ、前記連結ロッドが前記前後二つのスライドブロックの間に固定的に取り付けられ、前記分割布の右側末端と前記連結ロッドとが固定的に連結され、前記分割布の左側末端と前記内部チャンバの左側内壁とが固定的に連結され、前記連結ロッドの頂部端面には引きブロックが固定的に取り付けられ、前記かぶせ板の底部端面には引き紐がヒンジによって係合し連結取り付けられ、前記引き紐と前記引きブロックとがスライドできるように係合し取り付けられ、前記スライドブロックと前記内部チャンバの左側内壁との間にはバネＡが固定的に取り付けられ、前記内部チャンバの左右側内壁には固定板が固定的に係合し取り付けられ、前記固定板には反転板がヒンジによって係合し取り付けられ、前記反転板の片側末端にはリミット引掛り溝が設けられ、筆引掛り溝に比較的に常に使われる筆を置き、かぶせ板を反転させ、かぶせ板が引き紐を駆動し、分割布と連結ロッドを左に運動連動させ、内部チャンバの中の仕分け収納エリアを開け、反転板を左右両側に反転させ、反転板が垂直状態になると、反転板を下に押し、反転板が垂直に固定され、臨時的に便利に筆などの学習用品を収納することができることを特徴とする請求項１に記載の携帯用筆袋。
【請求項４】
前記外側仕分け収納機構は前記メイン殻の内部に設けられた仕分け収納溝も含み、前記仕分け収納箱が前記仕分け収納溝の中にスライドできるように係合し取り付けられ、前記仕分け収納溝の中には押しブロックがスライドできるように係合し取り付けられ、前記押しブロックと前記仕分け収納溝の左側内壁との間にはバネＢが固定的に取り付けられ、前記仕分け収納箱には固定引掛り溝が設けられ、前記仕分け収納溝の上側には前記仕分け収納溝と連通する引掛りブロックスライド溝が設けられ、前記引掛りブロックスライド溝の中にはコントロール引掛りブロックがスライドできるように係合し取り付けられ、前記コントロール引掛りブロックが前記固定引掛り溝と嵌合することができ、前記コントロール引掛りブロックと前記引掛りブロックスライド溝の頂壁との間にはバネＣが固定的に取り付けられ、前記コントロール押しロッドが前記引掛りブロックスライド溝の右側内壁と前記メイン殻の右側端面との間にスライドできるように係合し取り付けられ、前記コントロール押しロッドと前記コントロール引掛りブロックとがスライドできるように係合し取り付けられ、仕分け収納箱の中に比較的に広い学習用品を入れ、仕分け収納箱を仕分け収納溝の中に押し、固定引掛り溝とコントロール引掛りブロックとがロックすることを特徴とする請求項１に記載の携帯用筆袋。
【発明の詳細な説明】
【技術分野】
【０００１】
本発明は学習用品分野を取り上げて、具体的には携帯用筆袋である。
【背景技術】
【０００２】
筆袋に筆と他の学習用品を入れる時、全部の文房具を同じところに保存し、違う筆をわけて収納する筆袋はきれいに収納することができるが、出し入れが不便であり、使用者にとって非常に不便であり、使用者が使用する時の臨時的な収納にも不便であり、従って、使用者にとって、便利に文房具を出し入れることができ、臨時的に収納することができる携帯用筆袋が必要とされる。
【先行技術文献】
【特許文献】
【０００３】
【特許文献１】中国特許出願公開第105231621号明細書
【発明の概要】
【発明が解決しようとする課題】
【０００４】
本発明の目的は携帯用筆袋を提供し、それは上記の現在の技術中の問題を解決できる。
【課題を解決するための手段】
【０００５】
本発明の携帯用筆袋は、メイン殻を含み、前記メイン殻の頂部端面にはかぶせ板がヒンジによって係合し取り付けられ、前記かぶせ板と前記メイン殻の外側端面にはかぶせ布が固定的に取り付けられ、前記メイン殻の右側端面には筆袋を閉めるかぶせ閉め機構が設けられ、前記かぶせ閉め機構は前記かぶせ布の末端に固定的に取り付けられる口閉め板と封口バックル殼を含み、前記口閉め板には封口バックル溝が設けられ、前記封口バックル溝の前後内壁には筆袋の口を閉める封口バックルがヒンジによって係合し取り付けられ、前記封口バックル殼には筆袋の口を開けることができる外しボタンが設けられ、前記メイン殻の内部には内部チャンバが設けられ、前記内部チャンバの中には内部仕分け収納機構が設けられ、前記内部仕分け収納機構は前記かぶせ板の底部端面の上に固定的に取り付けられた筆引掛り溝と前記内部チャンバの前後内壁にヒンジによって係合し取り付けられた反転板を含み、前記反転板の上側端面には筆挿し袋が設けられ、前記反転板の下側端面にはメッシュ袋が設けられ、前記内部仕分け収納機構は内部チャンバを二つの空間に分割する連結ロッドと分割布も含み、前記内部チャンバの底壁の中には外側仕分け収納機構が設けられ、前記外側仕分け収納機構は前記メイン殻とスライドできるように取り付けられた仕分け収納箱と仕分け収納箱をメイン殻から滑り出させることをコントロールできるコントロール押しロッドを含む。
【０００６】
更の技術プラン、前記かぶせ閉め機構は前記封口バックル殼の中に設けられた口閉めスライド溝も含み、前記封口バックル殼が前記メイン殻の右側端面に固定的に取り付けられ、前記かぶせ板には手提げベルトが固定的に取り付けられ、前記口閉め板の右側端面には前記封口バックル溝が設けられ、前記封口バックルと前記封口バックル溝の左端内壁との間には封口バックルバネが固定的に取り付けられ、前記封口バックル殼にはバックル外し溝が設けられ、前記封口バックルは前記バックル外し溝と固定することができる。
【０００７】
更の技術プラン、、前記内部仕分け収納機構は前後対称的に前記内部チャンバの左右内壁の間に固定的に取り付けられたスライドロッドも含み、前記スライドロッドにはスライドブロックがスライドできるように係合し取り付けられ、前記連結ロッドが前記前後二つのスライドブロックの間に固定的に取り付けられ、前記分割布の右側末端と前記連結ロッドとが固定的に連結され、前記分割布の左側末端と前記内部チャンバの左側内壁とが固定的に連結され、前記連結ロッドの頂部端面には引きブロックが固定的に取り付けられ、前記かぶせ板の底部端面には引き紐がヒンジによって係合し連結取り付けられ、前記引き紐と前記引きブロックとがスライドできるように係合し取り付けられ、前記スライドブロックと前記内部チャンバの左側内壁との間にはバネＡが固定的に取り付けられ、前記内部チャンバの左右側内壁には固定板が固定的に係合し取り付けられ、前記固定板には反転板がヒンジによって係合し取り付けられ、前記反転板の片側末端にはリミット引掛り溝が設けられる。
【０００８】
更の技術プラン、前記外側仕分け収納機構は前記メイン殻の内部に設けられた仕分け収納溝も含み、前記仕分け収納箱が前記仕分け収納溝の中にスライドできるように係合し取り付けられ、前記仕分け収納溝の中には押しブロックがスライドできるように係合し取り付けられ、前記押しブロックと前記仕分け収納溝の左側内壁との間にはバネＢが固定的に取り付けられ、前記仕分け収納箱には固定引掛り溝が設けられ、前記仕分け収納溝の上側には前記仕分け収納溝と連通する引掛りブロックスライド溝が設けられ、前記引掛りブロックスライド溝の中にはコントロール引掛りブロックがスライドできるように係合し取り付けられ、前記コントロール引掛りブロックが前記固定引掛り溝と嵌合することができ、前記コントロール引掛りブロックと前記引掛りブロックスライド溝の頂壁との間にはバネＣが固定的に取り付けられ、前記コントロール押しロッドが前記引掛りブロックスライド溝の右側内壁と前記メイン殻の右側端面との間にスライドできるように係合し取り付けられ、前記コントロール押しロッドと前記コントロール引掛りブロックとがスライドできるように係合し取り付けられる。
【発明の効果】
【０００９】
本発明は筆袋の中に別々の部分を設置し、各部分の中に各種類の筆あるいは文房具を入れ、きれいに並ばさせ、筆袋の中の各部分が開けられた後、筆袋の各部分の空間が拡大され、取ることが便利であり、同時に内部反転の設計は使用者の臨時的のニーズを満たし、普及価値がある。
【図面の簡単な説明】
【００１０】
【図１】図１は本発明の全体構成略図
【図２】図２は図１のＡ−Ａの断面構成略図
【図３】図３は図１のＢの拡大構成略図
【発明を実施するための形態】
【００１１】
以下に図１〜３を交えて本発明について詳しく説明する。便利に叙述するため、現在は後文に出る方位を下記の通りに規定する：後文に出る上下左右前後方向は図１本体の投影関係の上下左右前後方向と一致する。
【００１２】
図１〜３を参照し、本発明の携帯用筆袋は、メイン殻１０を含み、前記メイン殻１０の頂部端面にはかぶせ板３７がヒンジによって係合し取り付けられ、前記かぶせ板３７と前記メイン殻１０の外側端面にはかぶせ布３６が固定的に取り付けられ、前記メイン殻１０の右側端面には筆袋を閉めるかぶせ閉め機構８０が設けられ、前記かぶせ閉め機構８０は前記かぶせ布３６の末端に固定的に取り付けられる口閉め板３５と封口バックル殼２８を含み、前記口閉め板３５には封口バックル溝３２が設けられ、前記封口バックル溝３２の前後内壁には筆袋の口を閉める封口バックル３１がヒンジによって係合し取り付けられ、前記封口バックル殼２８には筆袋の口を開けることができる外しボタン３０が設けられ、前記メイン殻１０の内部には内部チャンバ２０が設けられ、前記内部チャンバ２０の中には内部仕分け収納機構８１が設けられ、前記内部仕分け収納機構８１は前記かぶせ板３７の底部端面の上に固定的に取り付けられた筆引掛り溝３９と前記内部チャンバ２０の前後内壁にヒンジによって係合し取り付けられた反転板４３を含み、前記反転板４３の上側端面には筆挿し袋４４が設けられ、前記反転板４３の下側端面にはメッシュ袋４５が設けられ、前記内部仕分け収納機構８１は内部チャンバ２０を二つの空間に分割する連結ロッド４６と分割布４７も含み、前記内部チャンバ２０の底壁の中には外側仕分け収納機構８２が設けられ、前記外側仕分け収納機構８２は前記メイン殻１０とスライドできるように取り付けられた仕分け収納箱１４と仕分け収納箱１４をメイン殻１０から滑り出させることをコントロールできるコントロール押しロッド１９を含む。
【００１３】
前記かぶせ閉め機構８０は前記封口バックル殼２８の中に設けられた口閉めスライド溝３３も含み、前記封口バックル殼２８が前記メイン殻１０の右側端面に固定的に取り付けられ、前記かぶせ板３７には手提げベルト３８が固定的に取り付けられ、前記口閉め板３５の右側端面には前記封口バックル溝３２が設けられ、前記封口バックル３１と前記封口バックル溝３２の左端内壁との間には封口バックルバネ３４が固定的に取り付けられ、前記封口バックル殼２８にはバックル外し溝２９が設けられ、前記封口バックル３１は前記バックル外し溝２９と固定することができ、これにより口閉め板３５が口閉めスライド溝３３の中に挿され、封口バックル３１と封口バックル殼２８とが嵌合して筆袋の口を閉め、外しボタン３０を押し、外しボタン３０が封口バックル３１を押し、封口バックル３１と前記封口バックル殼２８とが離れ、口閉め板３５を口閉めスライド溝３３の中から取ることができ、筆袋が開けられる。
【００１４】
前記内部仕分け収納機構８１は前後対称的に前記内部チャンバ２０の左右内壁の間に固定的に取り付けられたスライドロッド２１も含み、前記スライドロッド２１にはスライドブロック２２がスライドできるように係合し取り付けられ、前記連結ロッド４６が前記前後二つのスライドブロック２２の間に固定的に取り付けられ、前記分割布４７の右側末端と前記連結ロッド４６とが固定的に連結され、前記分割布４７の左側末端と前記内部チャンバ２０の左側内壁とが固定的に連結され、前記連結ロッド４６の頂部端面には引きブロック２５が固定的に取り付けられ、前記かぶせ板３７の底部端面には引き紐２６がヒンジによって係合し連結取り付けられ、前記引き紐２６と前記引きブロック２５とがスライドできるように係合し取り付けられ、前記スライドブロック２２と前記内部チャンバ２０の左側内壁との間にはバネＡ２７が固定的に取り付けられ、前記内部チャンバ２０の左右側内壁には固定板４０が固定的に係合し取り付けられ、前記固定板４０には反転板４３がヒンジによって係合し取り付けられ、前記反転板４３の片側末端にはリミット引掛り溝４８が設けられ、筆引掛り溝３９に比較的に常に使われる筆を置き、かぶせ板３７を反転させ、かぶせ板３７が引き紐２６を駆動し、分割布４７と連結ロッド４６を左に運動連動させ、内部チャンバ２０の中の仕分け収納エリアを開け、反転板４３を左右両側に反転させ、反転板４３が垂直状態になると、反転板４３を下に押し、反転板４３が垂直に固定され、臨時的に便利に筆などの学習用品を収納することができる。
【００１５】
前記外側仕分け収納機構８２は前記メイン殻１０の内部に設けられた仕分け収納溝１１も含み、前記仕分け収納箱１４が前記仕分け収納溝１１の中にスライドできるように係合し取り付けられ、前記仕分け収納溝１１の中には押しブロック１３がスライドできるように係合し取り付けられ、前記押しブロック１３と前記仕分け収納溝１１の左側内壁との間にはバネＢ１２が固定的に取り付けられ、前記仕分け収納箱１４には固定引掛り溝１５が設けられ、前記仕分け収納溝１１の上側には前記仕分け収納溝１１と連通する引掛りブロックスライド溝１７が設けられ、前記引掛りブロックスライド溝１７の中にはコントロール引掛りブロック１６がスライドできるように係合し取り付けられ、前記コントロール引掛りブロック１６が前記固定引掛り溝１５と嵌合することができ、前記コントロール引掛りブロック１６と前記引掛りブロックスライド溝１７の頂壁との間にはバネＣ１８が固定的に取り付けられ、前記コントロール押しロッド１９が前記引掛りブロックスライド溝１７の右側内壁と前記メイン殻１０の右側端面との間にスライドできるように係合し取り付けられ、前記コントロール押しロッド１９と前記コントロール引掛りブロック１６とがスライドできるように係合し取り付けられ、仕分け収納箱１４の中に比較的に広い学習用品を入れ、仕分け収納箱１４を仕分け収納溝１１の中に押し、固定引掛り溝１５とコントロール引掛りブロック１６とがロックし、取る時に、コントロール押しロッド１９を押し、コントロール押しロッド１９がコントロール引掛りブロック１６を上に運動連動させ、バネＢ１２が仕分け収納箱１４を押し右に運動させ、仕分け収納箱１４を取り出す。
【００１６】
使用する時：外しボタン３０を押し、外しボタン３０が封口バックル３１を押し、封口バックル３１と封口バックル殼２８とが離れ、口閉め板３５を口閉めスライド溝３３の中から取り出すことができ、かぶせ板３７を反転させ、かぶせ板３７が引き紐２６を駆動し、引き紐２６が分割布４７と連結ロッド４６を引き、内部チャンバ２０の中の仕分け収納エリアを開け、反転板４３を左右両側に反転させ、反転板４３が垂直状態になった後、反転板４３を下に押し、反転板４３が垂直に固定され、仕分け収納箱１４の中に広い文房具を入れ、取る時に、コントロール押しロッド１９を押し、コントロール押しロッド１９がコントロール引掛りブロック１６を押して上に運動連動させ、バネＢ１２が仕分け収納箱１４を押し右に運動させ、仕分け収納箱１４を取り出し、使用完了後、反転板４３を上に引き、これにより反転板４３が回転することができ、内部チャンバ２０の中に入り、かぶせ板３７が反転して筆袋をかぶせ、仕分け収納箱１４を仕分け収納溝１１の中に押し、固定引掛り溝１５とコントロール引掛りブロック１６とが嵌合すると仕分け収納箱１４がちゃんと置かれることができ、口閉め板３５を口閉めスライド溝３３の中に挿し、筆袋の口を閉める。
【００１７】
本発明の有益効果は：本発明は筆袋の中に別々の部分を設置し、各部分の中に各種類の筆あるいは文房具を入れ、きれいに並ばさせ、筆袋の中の各部分が開けられた後、筆袋の各部分の空間が拡大され、取ることが便利であり、同時に内部反転の設計は使用者の臨時的のニーズを満たし、普及価値がある。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020163095.tif 000003
【図２】
2020163095.tif 000004
【図３】
2020163095.tif 000005
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
メイン殻を含み、前記メイン殻の頂部端面にはかぶせ板がヒンジによって係合し取り付けられ、前記かぶせ板と前記メイン殻の外側端面にはかぶせ布が固定的に取り付けられ、前記メイン殻の右側端面には筆袋を閉めるかぶせ閉め機構が設けられ、前記かぶせ閉め機構は前記かぶせ布の末端に固定的に取り付けられる口閉め板と封口バックル殼を含み、前記口閉め板には封口バックル溝が設けられ、前記封口バックル溝の前後内壁には筆袋の口を閉める封口バックルがヒンジによって係合し取り付けられ、前記封口バックル殼には筆袋の口を開けることができる外しボタンが設けられ、前記メイン殻の内部には内部チャンバが設けられ、前記内部チャンバの中には内部仕分け収納機構が設けられ、前記内部仕分け収納機構は前記かぶせ板の底部端面の上に固定的に取り付けられた筆引掛り溝と前記内部チャンバの前後内壁にヒンジによって係合し取り付けられた反転板を含み、前記反転板の上側端面には筆挿し袋が設けられ、前記反転板の下側端面にはメッシュ袋が設けられ、前記内部仕分け収納機構は内部チャンバを二つの空間に分割する連結ロッドと分割布も含み、前記内部チャンバの底壁の中には外側仕分け収納機構が設けられ、前記外側仕分け収納機構は前記メイン殻とスライドできるように取り付けられた仕分け収納箱と仕分け収納箱をメイン殻から滑り出させることをコントロールできるコントロール押しロッドを含み、
前記かぶせ閉め機構は前記封口バックル殼の中に設けられた口閉めスライド溝も含み、前記封口バックル殼が前記メイン殻の右側端面に固定的に取り付けられ、前記かぶせ板には手提げベルトが固定的に取り付けられ、前記口閉め板の右側端面には前記封口バックル溝が設けられ、前記封口バックルと前記封口バックル溝の左端内壁との間には封口バックルバネが固定的に取り付けられ、前記封口バックル殼にはバックル外し溝が設けられ、前記封口バックルは前記バックル外し溝と固定することができ、これにより口閉め板が口閉めスライド溝の中に挿され、封口バックルと封口バックル殼とが嵌合して筆袋の口を閉め、外しボタンを押し、外しボタンが封口バックルを押し、封口バックルと前記封口バックル殼とが離れ、口閉め板を口閉めスライド溝の中から取ることができ、筆袋が開けられ、
前記内部仕分け収納機構は前後対称的に前記内部チャンバの前後内壁の間に固定的に取り付けられたスライドロッドも含み、前記スライドロッドにはスライドブロックがスライドできるように係合し取り付けられ、前記連結ロッドが前記前後二つのスライドブロックの間に固定的に取り付けられ、前記分割布の右側末端と前記連結ロッドとが固定的に連結され、前記分割布の左側末端と前記内部チャンバの左側内壁とが固定的に連結され、前記連結ロッドの頂部端面には引きブロックが固定的に取り付けられ、前記かぶせ板の底部端面には引き紐がヒンジによって係合し連結取り付けられ、前記引き紐と前記引きブロックとがスライドできるように係合し取り付けられ、前記スライドブロックと前記内部チャンバの左側内壁との間にはバネＡが固定的に取り付けられ、前記内部チャンバの前後側内壁には固定板が固定的に係合し取り付けられ、前記固定板には反転板がヒンジによって係合し取り付けられ、筆引掛り溝に比較的に常に使われる筆を置き、かぶせ板を反転させ、かぶせ板が引き紐を駆動し、分割布と連結ロッドを左に運動連動させ、内部チャンバの中の仕分け収納エリアを開け、反転板を左右両側に反転させ、反転板が垂直状態になると、反転板を下に押し、反転板が垂直に固定され、臨時的に便利に筆などの学習用品を収納することができ、
前記外側仕分け収納機構は前記メイン殻の内部に設けられた仕分け収納溝も含み、前記仕分け収納箱が前記仕分け収納溝の中にスライドできるように係合し取り付けられ、前記仕分け収納溝の中には押しブロックがスライドできるように係合し取り付けられ、前記押しブロックと前記仕分け収納溝の左側内壁との間にはバネＢが固定的に取り付けられ、前記仕分け収納箱には固定引掛り溝が設けられ、前記仕分け収納溝の上側には前記仕分け収納溝と連通する引掛りブロックスライド溝が設けられ、前記引掛りブロックスライド溝の中にはコントロール引掛りブロックがスライドできるように係合し取り付けられ、前記コントロール引掛りブロックが前記固定引掛り溝と嵌合することができ、前記コントロール引掛りブロックと前記引掛りブロックスライド溝の頂壁との間にはバネＣが固定的に取り付けられ、前記コントロール押しロッドが前記引掛りブロックスライド溝の右側内壁と前記メイン殻の右側端面との間にスライドできるように係合し取り付けられ、前記コントロール押しロッドと前記コントロール引掛りブロックとがスライドできるように係合し取り付けられ、仕分け収納箱の中に比較的に広い学習用品を入れ、仕分け収納箱を仕分け収納溝の中に押し、固定引掛り溝とコントロール引掛りブロックとがロックすることを特徴とする携帯用筆袋。
【手続補正２】
【補正対象書類名】明細書
【補正対象項目名】全文
【補正方法】変更
【補正の内容】
【発明の詳細な説明】
【技術分野】
【０００１】
本発明は学習用品分野を取り上げて、具体的には携帯用筆袋である。
【背景技術】
【０００２】
筆袋に筆と他の学習用品を入れる時、全部の文房具を同じところに保存し、違う筆をわけて収納する筆袋はきれいに収納することができるが、出し入れが不便であり、使用者にとって非常に不便であり、使用者が使用する時の臨時的な収納にも不便であり、従って、使用者にとって、便利に文房具を出し入れることができ、臨時的に収納することができる携帯用筆袋が必要とされる。
【先行技術文献】
【特許文献】
【０００３】
【特許文献１】中国特許出願公開第105231621号明細書
【発明の概要】
【発明が解決しようとする課題】
【０００４】
本発明の目的は携帯用筆袋を提供し、それは上記の現在の技術中の問題を解決できる。
【課題を解決するための手段】
【０００５】
本発明の携帯用筆袋は、メイン殻を含み、前記メイン殻の頂部端面にはかぶせ板がヒンジによって係合し取り付けられ、前記かぶせ板と前記メイン殻の外側端面にはかぶせ布が固定的に取り付けられ、前記メイン殻の右側端面には筆袋を閉めるかぶせ閉め機構が設けられ、前記かぶせ閉め機構は前記かぶせ布の末端に固定的に取り付けられる口閉め板と封口バックル殼を含み、前記口閉め板には封口バックル溝が設けられ、前記封口バックル溝の前後内壁には筆袋の口を閉める封口バックルがヒンジによって係合し取り付けられ、前記封口バックル殼には筆袋の口を開けることができる外しボタンが設けられ、前記メイン殻の内部には内部チャンバが設けられ、前記内部チャンバの中には内部仕分け収納機構が設けられ、前記内部仕分け収納機構は前記かぶせ板の底部端面の上に固定的に取り付けられた筆引掛り溝と前記内部チャンバの前後内壁にヒンジによって係合し取り付けられた反転板を含み、前記反転板の上側端面には筆挿し袋が設けられ、前記反転板の下側端面にはメッシュ袋が設けられ、前記内部仕分け収納機構は内部チャンバを二つの空間に分割する連結ロッドと分割布も含み、前記内部チャンバの底壁の中には外側仕分け収納機構が設けられ、前記外側仕分け収納機構は前記メイン殻とスライドできるように取り付けられた仕分け収納箱と仕分け収納箱をメイン殻から滑り出させることをコントロールできるコントロール押しロッドを含む。
【０００６】
更の技術プラン、前記かぶせ閉め機構は前記封口バックル殼の中に設けられた口閉めスライド溝も含み、前記封口バックル殼が前記メイン殻の右側端面に固定的に取り付けられ、前記かぶせ板には手提げベルトが固定的に取り付けられ、前記口閉め板の右側端面には前記封口バックル溝が設けられ、前記封口バックルと前記封口バックル溝の左端内壁との間には封口バックルバネが固定的に取り付けられ、前記封口バックル殼にはバックル外し溝が設けられ、前記封口バックルは前記バックル外し溝と固定することができる。
【０００７】
更の技術プラン、前記内部仕分け収納機構は前後対称的に前記内部チャンバの前後内壁の間に固定的に取り付けられたスライドロッドも含み、前記スライドロッドにはスライドブロックがスライドできるように係合し取り付けられ、前記連結ロッドが前記前後二つのスライドブロックの間に固定的に取り付けられ、前記分割布の右側末端と前記連結ロッドとが固定的に連結され、前記分割布の左側末端と前記内部チャンバの左側内壁とが固定的に連結され、前記連結ロッドの頂部端面には引きブロックが固定的に取り付けられ、前記かぶせ板の底部端面には引き紐がヒンジによって係合し連結取り付けられ、前記引き紐と前記引きブロックとがスライドできるように係合し取り付けられ、前記スライドブロックと前記内部チャンバの左側内壁との間にはバネＡが固定的に取り付けられ、前記内部チャンバの前後側内壁には固定板が固定的に係合し取り付けられ、前記固定板には反転板がヒンジによって係合し取り付けられる。
【０００８】
更の技術プラン、前記外側仕分け収納機構は前記メイン殻の内部に設けられた仕分け収納溝も含み、前記仕分け収納箱が前記仕分け収納溝の中にスライドできるように係合し取り付けられ、前記仕分け収納溝の中には押しブロックがスライドできるように係合し取り付けられ、前記押しブロックと前記仕分け収納溝の左側内壁との間にはバネＢが固定的に取り付けられ、前記仕分け収納箱には固定引掛り溝が設けられ、前記仕分け収納溝の上側には前記仕分け収納溝と連通する引掛りブロックスライド溝が設けられ、前記引掛りブロックスライド溝の中にはコントロール引掛りブロックがスライドできるように係合し取り付けられ、前記コントロール引掛りブロックが前記固定引掛り溝と嵌合することができ、前記コントロール引掛りブロックと前記引掛りブロックスライド溝の頂壁との間にはバネＣが固定的に取り付けられ、前記コントロール押しロッドが前記引掛りブロックスライド溝の右側内壁と前記メイン殻の右側端面との間にスライドできるように係合し取り付けられ、前記コントロール押しロッドと前記コントロール引掛りブロックとがスライドできるように係合し取り付けられる。
【発明の効果】
【０００９】
本発明は筆袋の中に別々の部分を設置し、各部分の中に各種類の筆あるいは文房具を入れ、きれいに並ばさせ、筆袋の中の各部分が開けられた後、筆袋の各部分の空間が拡大され、取ることが便利であり、同時に内部反転の設計は使用者の臨時的のニーズを満たし、普及価値がある。
【図面の簡単な説明】
【００１０】
【図１】図１は本発明の全体構成略図
【図２】図２は図１のＡ−Ａの断面構成略図
【図３】図３は図１のＢの拡大構成略図
【発明を実施するための形態】
【００１１】
以下に図１〜３を交えて本発明について詳しく説明する。便利に叙述するため、現在は後文に出る方位を下記の通りに規定する：後文に出る上下左右前後方向は図１本体の投影関係の上下左右前後方向と一致する。
【００１２】
図１〜３を参照し、本発明の携帯用筆袋は、メイン殻１０を含み、前記メイン殻１０の頂部端面にはかぶせ板３７がヒンジによって係合し取り付けられ、前記かぶせ板３７と前記メイン殻１０の外側端面にはかぶせ布３６が固定的に取り付けられ、前記メイン殻１０の右側端面には筆袋を閉めるかぶせ閉め機構８０が設けられ、前記かぶせ閉め機構８０は前記かぶせ布３６の末端に固定的に取り付けられる口閉め板３５と封口バックル殼２８を含み、前記口閉め板３５には封口バックル溝３２が設けられ、前記封口バックル溝３２の前後内壁には筆袋の口を閉める封口バックル３１がヒンジによって係合し取り付けられ、前記封口バックル殼２８には筆袋の口を開けることができる外しボタン３０が設けられ、前記メイン殻１０の内部には内部チャンバ２０が設けられ、前記内部チャンバ２０の中には内部仕分け収納機構８１が設けられ、前記内部仕分け収納機構８１は前記かぶせ板３７の底部端面の上に固定的に取り付けられた筆引掛り溝３９と前記内部チャンバ２０の前後内壁にヒンジによって係合し取り付けられた反転板４３を含み、前記反転板４３の上側端面には筆挿し袋４４が設けられ、前記反転板４３の下側端面にはメッシュ袋４５が設けられ、前記内部仕分け収納機構８１は内部チャンバ２０を二つの空間に分割する連結ロッド４６と分割布４７も含み、前記内部チャンバ２０の底壁の中には外側仕分け収納機構８２が設けられ、前記外側仕分け収納機構８２は前記メイン殻１０とスライドできるように取り付けられた仕分け収納箱１４と仕分け収納箱１４をメイン殻１０から滑り出させることをコントロールできるコントロール押しロッド１９を含む。
【００１３】
前記かぶせ閉め機構８０は前記封口バックル殼２８の中に設けられた口閉めスライド溝３３も含み、前記封口バックル殼２８が前記メイン殻１０の右側端面に固定的に取り付けられ、前記かぶせ板３７には手提げベルト３８が固定的に取り付けられ、前記口閉め板３５の右側端面には前記封口バックル溝３２が設けられ、前記封口バックル３１と前記封口バックル溝３２の左端内壁との間には封口バックルバネ３４が固定的に取り付けられ、前記封口バックル殼２８にはバックル外し溝２９が設けられ、前記封口バックル３１は前記バックル外し溝２９と固定することができ、これにより口閉め板３５が口閉めスライド溝３３の中に挿され、封口バックル３１と封口バックル殼２８とが嵌合して筆袋の口を閉め、外しボタン３０を押し、外しボタン３０が封口バックル３１を押し、封口バックル３１と前記封口バックル殼２８とが離れ、口閉め板３５を口閉めスライド溝３３の中から取ることができ、筆袋が開けられる。
【００１４】
前記内部仕分け収納機構８１は前後対称的に前記内部チャンバ２０の前後内壁の間に固定的に取り付けられたスライドロッド２１も含み、前記スライドロッド２１にはスライドブロック２２がスライドできるように係合し取り付けられ、前記連結ロッド４６が前記前後二つのスライドブロック２２の間に固定的に取り付けられ、前記分割布４７の右側末端と前記連結ロッド４６とが固定的に連結され、前記分割布４７の左側末端と前記内部チャンバ２０の左側内壁とが固定的に連結され、前記連結ロッド４６の頂部端面には引きブロック２５が固定的に取り付けられ、前記かぶせ板３７の底部端面には引き紐２６がヒンジによって係合し連結取り付けられ、前記引き紐２６と前記引きブロック２５とがスライドできるように係合し取り付けられ、前記スライドブロック２２と前記内部チャンバ２０の左側内壁との間にはバネＡ２７が固定的に取り付けられ、前記内部チャンバ２０の前後側内壁には固定板４０が固定的に係合し取り付けられ、前記固定板４０には反転板４３がヒンジによって係合し取り付けられ、筆引掛り溝３９に比較的に常に使われる筆を置き、かぶせ板３７を反転させ、かぶせ板３７が引き紐２６を駆動し、分割布４７と連結ロッド４６を左に運動連動させ、内部チャンバ２０の中の仕分け収納エリアを開け、反転板４３を左右両側に反転させ、反転板４３が垂直状態になると、反転板４３を下に押し、反転板４３が垂直に固定され、臨時的に便利に筆などの学習用品を収納することができる。
【００１５】
前記外側仕分け収納機構８２は前記メイン殻１０の内部に設けられた仕分け収納溝１１も含み、前記仕分け収納箱１４が前記仕分け収納溝１１の中にスライドできるように係合し取り付けられ、前記仕分け収納溝１１の中には押しブロック１３がスライドできるように係合し取り付けられ、前記押しブロック１３と前記仕分け収納溝１１の左側内壁との間にはバネＢ１２が固定的に取り付けられ、前記仕分け収納箱１４には固定引掛り溝１５が設けられ、前記仕分け収納溝１１の上側には前記仕分け収納溝１１と連通する引掛りブロックスライド溝１７が設けられ、前記引掛りブロックスライド溝１７の中にはコントロール引掛りブロック１６がスライドできるように係合し取り付けられ、前記コントロール引掛りブロック１６が前記固定引掛り溝１５と嵌合することができ、前記コントロール引掛りブロック１６と前記引掛りブロックスライド溝１７の頂壁との間にはバネＣ１８が固定的に取り付けられ、前記コントロール押しロッド１９が前記引掛りブロックスライド溝１７の右側内壁と前記メイン殻１０の右側端面との間にスライドできるように係合し取り付けられ、前記コントロール押しロッド１９と前記コントロール引掛りブロック１６とがスライドできるように係合し取り付けられ、仕分け収納箱１４の中に比較的に広い学習用品を入れ、仕分け収納箱１４を仕分け収納溝１１の中に押し、固定引掛り溝１５とコントロール引掛りブロック１６とがロックし、取る時に、コントロール押しロッド１９を押し、コントロール押しロッド１９がコントロール引掛りブロック１６を上に運動連動させ、バネＢ１２が仕分け収納箱１４を押し右に運動させ、仕分け収納箱１４を取り出す。
【００１６】
使用する時：外しボタン３０を押し、外しボタン３０が封口バックル３１を押し、封口バックル３１と封口バックル殼２８とが離れ、口閉め板３５を口閉めスライド溝３３の中から取り出すことができ、かぶせ板３７を反転させ、かぶせ板３７が引き紐２６を駆動し、引き紐２６が分割布４７と連結ロッド４６を引き、内部チャンバ２０の中の仕分け収納エリアを開け、反転板４３を左右両側に反転させ、反転板４３が垂直状態になった後、反転板４３を下に押し、反転板４３が垂直に固定され、仕分け収納箱１４の中に広い文房具を入れ、取る時に、コントロール押しロッド１９を押し、コントロール押しロッド１９がコントロール引掛りブロック１６を押して上に運動連動させ、バネＢ１２が仕分け収納箱１４を押し右に運動させ、仕分け収納箱１４を取り出し、使用完了後、反転板４３を上に引き、これにより反転板４３が回転することができ、内部チャンバ２０の中に入り、かぶせ板３７が反転して筆袋をかぶせ、仕分け収納箱１４を仕分け収納溝１１の中に押し、固定引掛り溝１５とコントロール引掛りブロック１６とが嵌合すると仕分け収納箱１４がちゃんと置かれることができ、口閉め板３５を口閉めスライド溝３３の中に挿し、筆袋の口を閉める。
【００１７】
本発明の有益効果は：本発明は筆袋の中に別々の部分を設置し、各部分の中に各種類の筆あるいは文房具を入れ、きれいに並ばさせ、筆袋の中の各部分が開けられた後、筆袋の各部分の空間が拡大され、取ることが便利であり、同時に内部反転の設計は使用者の臨時的のニーズを満たし、普及価値がある。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。